(57)【要約】【課題】光ディスクにデータを記録する際、記録条件学習を効率良く行い、最適記録条件を設定するために要する時間を短縮すること。【解決手段】位相誤差検出部１０は、記録した実データの再生信号から位相誤差量を検出する。位相誤差調整部１１は、検出した位相誤差量に基づき記録条件設定部８の設定する記録条件（記録ストラテジ）を調整する。位相誤差量の検出は実データのベリファイ工程と並行して行い、ベリファイ工程の判定結果、目標の品質が得られない場合には、テスト信号による試し書きを実行せずに、位相誤差量に基づき記録条件の調整を行う。【選択図】図１
2007213674.tif 000002
【特許請求の範囲】
【請求項１】
光ディスクにレーザ光を照射してデータを記録する際にレーザ光の記録条件を調整可能な光ディスク装置であって、
上記光ディスクを回転させるスピンドルモータと、
上記レーザ光を上記光ディスクに照射して上記データを記録及び再生を行うピックアップと、
上記データの記録信号を生成して上記ピックアップに供給し、該ピックアップの検出信号から上記データの再生信号を生成する信号処理部と、
上記ピックアップが上記データを記録する際の上記記録条件を設定する記録条件設定部と、
上記信号処理部が生成した再生信号から記録品質を判定する記録品質判定部と、
上記信号処理部が生成した再生信号から位相誤差量を検出する位相誤差検出部と、
該位相誤差検出部が検出した位相誤差量に基づき上記記録条件設定部の設定した記録条件を調整する位相誤差調整部と、
上記データの記録及び再生動作と上記記録条件の設定動作を制御する制御部とを備え、
該制御部は、上記光ディスクのデータ記録領域に上記データを所定の単位で記録させ、該記録したデータを再生して上記記録品質判定部によりその品質を判定し、
該記録品質判定部の判定と並行して上記位相誤差検出部により位相誤差量の検出を行い、
該記録品質判定部の判定の結果目標の品質が得られない場合には、上記位相誤差検出部の検出した位相誤差量に基づき上記位相誤差調整部により上記記録条件の調整を行うことを特徴とする光ディスク装置。
【請求項２】
請求項１記載の光ディスク装置であって、
前記制御部は、前記データを所定の単位ごとに記録した後、引き続き記録したデータを該所定の単位ごとに再生して、前記記録品質判定部により再生信号の品質を該所定の単位ごとに判定するベリファイ工程を実行することを特徴とする光ディスク装置。
【請求項３】
請求項１または２に記載の光ディスク装置であって、
前記記録条件設定部は、前記光ディスクの試し書き領域に記録条件を変えたテスト信号を記録し、該記録したテスト信号を再生して最適記録条件を求める試し書き工程を実行可能であり、
前記制御部は、新たなデータの記録開始時において、上記記録条件設定部により上記試し書き工程を実行して記録条件を初期設定し、
上記データの記録中において、前記記録品質判定部の判定の結果目標の品質が得られない場合には、上記試し書き工程を実行せずに、前記位相誤差検出部の検出した位相誤差量に基づき前記位相誤差調整部により上記記録条件の調整を行うことを特徴とする光ディスク装置。
【請求項４】
請求項１または２に記載の光ディスク装置であって、
前記制御部は、前記記録条件設定部が前記データを記録する際に設定した記録条件を当該装置のメモリまたは当該光ディスクの所定領域に保存しておき、
新たなデータの記録開始時において、上記メモリまたは当該光ディスクに保存されている記録条件を参照して、上記記録条件設定部に対し記録条件を初期設定させることを特徴とする光ディスク装置。
【請求項５】
請求項１ないし４のいずれかに記載の光ディスク装置であって、
前記位相誤差検出部は、前記データに含まれるマーク長とスペース長の各組合せパターンごとにマークエッジ位置のずれ量を測定し、
前記位相誤差調整部は、上記測定したずれ量を解消するように、前記記録条件設定部の設定する前記レーザ光のパワーレベルまたは発光タイミングを上記各パターンごとに調整することを特徴とする光ディスク装置。
【請求項６】
光ディスクにレーザ光を照射してデータを記録する際の記録条件設定方法であって、
上記光ディスク上のデータ記録領域に記録した上記データを再生し、
該再生して得られた再生信号から位相誤差量を検出し、
該検出した位相誤差量に基づき上記データを記録する上記レーザ光の記録条件を調整することを特徴とする記録条件設定方法。
【請求項７】
光ディスクにレーザ光を照射してデータを記録する際の記録条件設定方法であって、
上記光ディスクのデータ記録領域に上記データを所定の単位で記録し、該記録したデータを再生して再生信号から記録品質を判定する記録品質判定工程を行い、
該記録品質判定工程と並行して該再生信号から位相誤差量の検出を行い、
該記録品質判定工程の判定の結果、目標の品質が得られない場合には、上記検出した位相誤差量に基づき上記データを記録する上記レーザ光の記録条件を調整することを特徴とする記録条件設定方法。
【請求項８】
請求項７記載の記録条件設定方法であって、
前記記録品質判定工程は、前記データを所定の単位ごとに記録した後、引き続き記録したデータを該所定の単位ごとに再生して、再生信号の品質を該所定の単位ごとに判定するベリファイ工程であることを特徴とする記録条件設定方法。
【請求項９】
請求項７または８に記載の記録条件設定方法であって、
前記光ディスクの試し書き領域に記録条件を変えたテスト信号を記録し、該記録したテスト信号を再生して最適記録条件を求める試し書き工程を実行可能であり、
新たなデータの記録開始時において、上記試し書き工程を実行して記録条件を初期設定し、
上記データの記録中において、前記記録品質判定工程の判定の結果、目標の品質が得られない場合には、上記試し書き工程を実行せずに、前記検出した位相誤差量に基づき上記記録条件の調整を行うことを特徴とする記録条件設定方法。
【請求項１０】
請求項７または８に記載の記録条件設定方法であって、
前記データを記録する際に設定した記録条件をメモリまたは当該光ディスクの所定領域に保存しておき、
新たなデータの記録開始時において、上記メモリまたは当該光ディスクに保存されている記録条件を参照して、記録条件を初期設定することを特徴とする記録条件設定方法。
【請求項１１】
請求項６ないし１０のいずれかに記載の記録条件設定方法であって、
前記位相誤差の検出では、前記データに含まれるマーク長とスペース長の各組合せパターンごとにマークエッジ位置のずれ量を測定し、
前記記録条件の調整では、上記測定したずれ量を解消するように記録時の前記レーザ光のパワーレベルまたは発光タイミングを上記各パターンごとに調整することを特徴とする記録条件設定方法。
【発明の詳細な説明】
【技術分野】
【０００１】
本発明は、光ディスクにデータを記録する光ディスク装置及び記録条件設定方法に係り、特に記録条件の設定を効率良く行うための技術に関する。
【背景技術】
【０００２】
光ディスク装置では、ディスクローディング時、あるいは光ディスクにレーザ光を照射してデータを記録開始する直前に、光ディスクの特性や使用環境に適したレーザパワーと発光タイミングを求めて記録条件の調整を行う。すなわちディスク上の試し書き領域において、レーザパワーや発光タイミングを段階的に変化させたテスト信号で試し書きを行い、テスト信号を再生してその品質、たとえばβ（アシンメトリ）等を評価して最適記録条件を設定する。データを記録する際の記録条件の最適化処理を、以下、記録条件学習とも言う。
【０００３】
記録条件学習では、記録条件を変化させた複数の記録パターンを記録して最適記録条件を導出するため、最適条件を決定するまでに多くの時間を必要とする。そこで特許文献１には、テスト信号の評価法として再生信号の位相誤差を検出し、位相誤差データに基づいて記録条件の調整を行うことで、試し書き回数を少なくすることが記載される。
【０００４】
【特許文献１】特開２００３−３０８３７号公報
【発明の開示】
【発明が解決しようとする課題】
【０００５】
上記特許文献１記載の技術によれば、テスト信号の品質を効率良く評価できる。しかしながら、試し書き用に特定のテスト信号を用いるとともに特定の試し書き領域を用いることには変わりがない。例えばＤＶＤ−ＲＡＭディスクでは、試し書きの専用領域がディスクのデータ記録領域の最内周と最外周の近傍に設けてあるので、試し書きの度に該領域までピックアップを移動させる必要があり、時間のロスとなる。さらに試し書き領域は限られたサイズであり、試し書きを頻繁に行うことで該ゾーンを早く消耗し、最適記録条件が正しく導出できなくなる恐れもある。
【０００６】
本発明の目的は、記録条件学習をさらに効率良く行い、最適記録条件を設定するために要する時間を短縮することにある。
【課題を解決するための手段】
【０００７】
本発明は、光ディスクにレーザ光を照射してデータを記録する際にレーザ光の記録条件を調整可能な光ディスク装置であって、光ディスクを回転させるスピンドルモータと、レーザ光を光ディスクに照射してデータを記録及び再生を行うピックアップと、データの記録信号を生成してピックアップに供給し、ピックアップの検出信号からデータの再生信号を生成する信号処理部と、ピックアップがデータを記録する際の記録条件を設定する記録条件設定部と、信号処理部が生成した再生信号から記録品質を判定する記録品質判定部と、信号処理部が生成した再生信号から位相誤差量を検出する位相誤差検出部と、位相誤差検出部が検出した位相誤差量に基づき記録条件設定部の設定した記録条件を調整する位相誤差調整部と、データの記録及び再生動作と記録条件の設定動作を制御する制御部とを備える。そして制御部は、光ディスクのデータ記録領域にデータを所定の単位で記録させ、記録したデータを再生して記録品質判定部によりその品質を判定し、記録品質判定部の判定と並行して位相誤差検出部により位相誤差量の検出を行う。記録品質判定部の判定の結果目標の品質が得られない場合には、位相誤差検出部の検出した位相誤差量に基づき位相誤差調整部により記録条件の調整を行う。
【０００８】
ここに位相誤差検出部は、データに含まれるマーク長とスペース長の各組合せパターンごとにマークエッジ位置のずれ量を測定し、位相誤差調整部は、測定したずれ量を解消するように、記録条件設定部の設定するレーザ光のパワーレベルまたは発光タイミングを各パターンごとに調整する。
【０００９】
また本発明は、光ディスクにレーザ光を照射してデータを記録する際の記録条件設定方法であって、光ディスクのデータ記録領域にデータを所定の単位で記録し、記録したデータを再生して再生信号から記録品質を判定する記録品質判定工程を行い、記録品質判定工程と並行して再生信号から位相誤差量の検出を行う。記録品質判定工程の判定の結果、目標の品質が得られない場合には、検出した位相誤差量に基づきデータを記録するレーザ光の記録条件を調整する。
【００１０】
さらに、光ディスクの試し書き領域に記録条件を変えたテスト信号を記録し、記録したテスト信号を再生して最適記録条件を求める試し書き工程を実行可能であり、新たなデータの記録開始時において、試し書き工程を実行して記録条件を初期設定する。
【００１１】
または、データを記録する際に設定した記録条件をメモリまたは光ディスクの所定領域に保存しておき、新たなデータの記録開始時において、メモリまたは光ディスクに保存されている記録条件を参照して、記録条件を初期設定する。
【発明の効果】
【００１２】
本発明によれば、記録条件の設定時間を短縮し、記録動作を迅速に開始することができる。
【発明を実施するための最良の形態】
【００１３】
図１は、本発明による光ディスク装置の一実施例を示すブロック図である。本実施例の装置は、装着した光ディスク１をスピンドルモータ２にて回転する。ピックアップ３は、半導体レーザで発生したレーザ光を光ディスク１の記録面に照射し、データや試し書き用のテスト信号を記録または再生するとともに、光検出器にて光ディスク１からの反射光を検出する。その際、データの記録再生には、光ディスク１のデータ記録領域を、またテスト信号の記録再生には、試し書き領域を使用する。ピックアップ３内には、対物レンズとその位置を調整するアクチュエータを内蔵し、フォーカスとトラッキングの調整を行う。スレッドモータ４は、ピックアップ３を光ディスク上の半径方向に移動させる。モータドライバ５は、スピンドルモータ２やスレッドモータ４及びアクチュエータに対し、これらを駆動するための駆動信号を供給する。
【００１４】
信号処理部６は、光ディスク１に記録する記録信号を生成して、レーザドライバ７を介しピックアップ３に供給する。その際記録条件設定部８は、所望のマークとスペースを形成するように、レーザ光の記録条件（レーザパワーや発光タイミングなどの条件、以下、記録ストラテジとも呼ぶ）を設定して、レーザドライバ７を駆動する。また記録条件設定部８は最適記録条件を求めるために、必要に応じてテスト信号を用いた試し書き処理を行うことが可能である。
【００１５】
一方信号処理部６は、ピックアップ３からの検出信号を処理して、ＲＦ信号、フォーカスエラー信号（ＦＥ）、トラッキングエラー信号（ＴＥ）などを生成する。ＲＦ信号は復調部９で復調されて再生データとなる。ＦＥ信号やＴＥ信号からは、フォーカスサーボ信号やトラッキングサーボ信号を生成してモータドライバ５へ送る。
【００１６】
本装置では位相誤差検出部１０を備え、データ記録領域に記録したデータの再生信号から位相誤差量を検出する。その際、再生信号に含まれる各パターン（マーク長とスペース長の組合せ）ごとに仕分けして、形成したマークとスペースのエッジ位置のずれ量を解析する。この機能を、ＴＩＡ（Ｔｉｍｅ  Ｉｎｔｅｒｖａｌ  Ａｎａｌｙｚｅｒ）機能とも言う。位相誤差が存在すると再生エラー発生の原因となり、記録品質を悪化させる。位相誤差調整部１１は、検出した位相誤差量に基づきこれを解消するように、記録条件設定部８の設定した記録条件（記録ストラテジ）を調整する。このように位相誤差検出部１０と位相誤差調整部１１を設けることで、実データを用いた記録条件の調整を可能とし、従来のテスト信号による試し書き工程を省略することができる。
【００１７】
さらに本装置では、データ記録後に記録品質を判定する機能、いわゆるベリファイ機能を有する。そのため、光ディスク１のデータ記録領域にデータを所定の単位（ベリファイ単位）で記録させ、記録したデータを所定の単位ごとに再生してベリファイ測定部１３によりその品質（エラー量など）を測定し、マイコン１４により目標の品質が得られているかを判定する。目標の品質であれば現在の記録条件を維持し、目標の品質が得られなければ、位相誤差検出部１０の検出した位相誤差量に基づき位相誤差調整部１１により記録条件の調整を行う。
【００１８】
記録条件設定部８は、データを記録後、データ記録の際に設定した記録条件（記録ストラテジ）を記録条件保持メモリ１２に保存しておく。その際、個々のディスクごとに最適条件を記憶するものとする。次回記録を行う際に記録条件保持メモリ１２の情報を参照することで、記録条件の初期設定を迅速に行うことができる。
【００１９】
マイコン（制御部）１４は、上記した装置全体の制御を行うと共に、記録条件設定と記録・再生の一連の動作の判定と制御を行う。また本光ディスク装置は、図示していない外部のホスト装置（パソコンなど）と接続し、インタフェースを介して記録・再生データの転送とコマンドの送受信を行う。
【００２０】
図２は、図１の位相誤差検出部１０及び位相誤差調整部１１の動作を説明する図である。（ａ）は記録データのパターンの一例で、５Ｔマーク、３Ｔスペース、３Ｔマークが連なる場合である。（ｂ）はこれに対する記録ストラテジ（レーザ発光パルス波形）、（ｃ）は光ディスク記録膜に形成された記録マークの形状、（ｄ）は記録クロック信号（周期Ｔ）を示す。
【００２１】
位相誤差検出部１０は、実データの再生信号波形を解析し、記録マーク１０１，１０２の前エッジ位置と後エッジ位置の記録クロック信号からのずれ量を測定する。この図では、マーク１０１の後エッジにおいてずれ量１０３を、またマーク１０２の前エッジにおいてずれ量１０４を検出している。
【００２２】
位相誤差調整部１１は、位相誤差検出部１０の検出したマークエッジのずれ量（位相誤差量）に応じて、これを解消するように記録ストラテジのタイミングを調整する。この図では、マークずれ量１０３に対して発光パルスの後エッジ位置１０５を早める方向に、またマークずれ量１０４に対して発光パルスの前エッジ位置１０６を遅らせる方向に調整する。
【００２３】
実際に記録するデータには、マーク長とスペース長が３Ｔから１４Ｔまでの成分がランダムに含まれており、位相誤差検出部１０のＴＩＡ機能により、マーク長とスペース長の各組合せパターンごとに位相誤差量を測定し、各パターンごとに記録ストラテジの調整を行うことができる。
【００２４】
図３は、位相誤差の測定結果と、記録条件（記録ストラテジ）の調整の一例を示すテーブルである。（ａ）は実データ記録時の記録ストラテジ条件（初期位相）を、（ｂ）は実データ再生時に測定された位相誤差量を、（ｃ）は位相誤差量に応じて調整した記録ストラテジ条件（位相調整後）を示す。ここでは、前エッジに関し、マーク長（スペース長）が３Ｔ、４Ｔ、５Ｔ及び６Ｔ以上の各組合せパターンに分類して記述している（６Ｔ〜１４Ｔについては、ほぼ同一結果となる）。位相誤差の単位は、クロック周期Ｔに対する割合（％）とした。
【００２５】
例えば３Ｔマーク／３Ｔスペースのパターンにおいて、初期位相１０％にて記録した結果、測定された位相誤差は２％である。この位相誤差を解消させるため、記録条件の位相を８％に調整して設定することを示す。
【００２６】
上記図２、図３では、記録条件（記録ストラテジ）の中でレーザ発光パルスの発光タイミングの調整について説明したが、レーザパワーに関しても同様に調整する。そのために、検出した位相誤差とレーザパワーの調整量との関係を予め定めておき、これに従い調整する。
【００２７】
図４は、比較のために、従来の記録条件設定方法によりデータを記録する一例を示すフローチャートである。
【００２８】
光ディスク（例えばＤＶＤ−ＲＡＭ）をローディング後、データを記録する前に、まず試し書き領域（ドライブテストゾーン）を用いて試し書きを行う。ドライブテストゾーンは、ディスクの内周側および外周側に設けられており、この領域に記録条件（レーザパワーや発光タイミング）を段階的に変化させた特定のテスト信号を記録する。続いて記録したテスト信号を再生し、その品質（アシンメトリなど）を評価して最適記録条件の導出を行い、導出した記録条件で装置の条件を初期設定する（Ｓ４０２）。そして、ホスト装置（パソコンなど）からの記録コマンドを受信できる状態（レディ状態）で待機する（Ｓ４０３）。
【００２９】
ホスト装置から記録コマンドを受信すると、指定アドレスにデータを記録する。なお、データは後続する記録品質判定動作（ベリファイ動作）の単位で記録する（Ｓ４０４）。データ記録後、記録したデータを再生し記録品質を確認する。例えば検知されるエラー量からその良否を判定する（ベリファイ判定）（Ｓ４０５）。
【００３０】
ベリファイ判定の結果、記録品質が目標品質を満足していない場合には、ドライブテストゾーンにて再度試し書きを行い、最適記録条件を調整して再度設定する（Ｓ４０６）。そしてＳ４０４に戻り、データを再度記録する。ベリファイ判定の結果、記録品質が目標品質を満足している場合は、記録条件はそのまま維持し、記録データが全て終了したかどうかを判定し（Ｓ４０７）、終了していれば記録動作を終了する（Ｓ４０８）。終了していなければＳ４０３に戻り、次の記録コマンドを待つ。
【００３１】
この従来の記録条件設定方法では、ローディング時の試し書き工程（Ｓ４０２）と、ベリファイ判定の結果に基づく試し書き工程（Ｓ４０６）がある。よって、試し書きの回数が多く、そのために多くの時間を費やすことになる。また、いずれもドライブテストゾーンを用いて試し書きを行うため、ドライブテストゾーンとユーザデータ記録領域との間のピックアップ移動に要する時間のロスも発生する。さらに、ドライブテストゾーンは限られた有限のサイズであり、試し書きを頻繁に行うことで該ゾーンを早く消耗し、最適記録条件が正しく導出できなくなる恐れもある。
【００３２】
図５は、本発明の記録条件設定方法によりデータを記録する一実施例を示すフローチャートである。本実施例では、装置の持つＴＩＡ機能を利用して、記録した実データの位相誤差を解析し記録条件の調整を行うものである。
【００３３】
光ディスクをローディング後、該ディスクに対して前回設定した記録条件が装置内記録条件保持メモリ１２に保存されているかどうかを調べる。その場合、例えばディスクのＩＤを照合することで判定できる。保存されていれば、その記録条件を読み出して初期設定する（Ｓ５０３）。そして、ホスト装置からの記録コマンドを受信できる状態（レディ状態）で待機する（Ｓ５０５）。
【００３４】
前回の記録条件がメモリに保存されていない場合は、前記図４のＳ４０２と同様に、試し書き領域（ドライブテストゾーン）を用いて試し書きを行い、最適記録条件を導出して記録条件を設定する（Ｓ５０４）。そして、レディ状態で待機する（Ｓ５０５）。
【００３５】
ホスト装置から記録コマンドを受信すると、指定アドレスにベリファイ動作の単位でデータを記録する（Ｓ５０６）。データ記録後、記録したデータを再生し（Ｓ５０７）、記録品質（例えばエラー量）を判定する（ベリファイ判定）（Ｓ５０８）。
【００３６】
その際、Ｓ５０８のベリファイ判定と並行して、位相誤差検出部１０のＴＩＡ機能により再生波形の位相誤差量を測定する。実データの再生波形を解析することで、マーク長とスペース長の各組合せパターンごとに、また前エッジと後エッジごとに位相誤差量の測定を行う（Ｓ５０９）。
【００３７】
Ｓ５０８でのベリファイ判定の結果、記録品質が目標品質を満足していない場合には、Ｓ５０９で求めた位相誤差情報に基づいて、位相誤差調整部１１は各パターンごとにそれらの記録条件を修正して設定する（Ｓ５１０）。そしてＳ５０６に戻り、データを再度記録する。
【００３８】
Ｓ５０８でのベリファイ判定の結果、記録品質が目標品質を満足している場合は、現在の記録条件を維持し、記録データが全て終了したかどうかを判定し（Ｓ５１１）、終了していれば記録動作を終了する（Ｓ５１２）。終了していなければＳ５０５に戻り、次の記録コマンドを待つ。
【００３９】
本実施例の記録条件設定方法によれば、ローディング時の試し書き（Ｓ５０４）を実行するのは、前回の記録条件がメモリに保存されていない場合のみであるので、その回数を最小限とすることができる。また、ベリファイ判定の結果に基づく試し書きの工程（従来のＳ４０６）を排除し、ベリファイ工程と並行して取得した位相誤差量に基づき記録条件の調整を実行する。
【００４０】
このように試し書き工程を大幅に削減したので、記録開始までの時間を短縮することができる。また、ＴＩＡ機能による記録条件の調整では、評価するのは実データであり、試し書き用のドライブテストゾーンを使用することがない。その結果、従来のように試し書き動作のためドライブテストゾーンへピックアップを頻繁に移動させることがなく、時間のロスが発生しない。さらに試し書きによるドライブテストゾーンの消耗を抑えるとともに、実データ記録位置で記録条件調整のための評価を行うことにより、導出する最適記録条件の信頼性を向上させることができる。
【００４１】
上記実施例では、データ記録後の記録品質確認動作として、ベリファイ動作による判定を説明したが、確認動作はこれに限定されない。例えば記録品質の簡便な判定法として、一定量のデータを記録する毎に、その記録した最終部分のデータを再生して、ＴＩＡ機能によるジッタ特性の評価のみを行う（すなわち復調前の評価）ような場合においても、上記実施例で述べたＴＩＡ機能による記録条件の調整は有効である。
【００４２】
上記実施例では、ローディング時に装置内の記録条件保持メモリを参照し、そこに保存されている前回の記録条件を読み出して試し書きすることなく記録条件の初期設定を行うものであるが、前回の記録条件を上記メモリにではなく、当該ディスク自身に保存してこれを参照して初期設定することも可能である。そのために、データ記録後は、データ記録の際に設定した記録条件をディスクの所定の領域、例えばＤＶＤ−ＲＡＭでは光ディスク装置固有の情報が記録可能なＤＩＺ（Ｄｉｓｃ  Ｉｄｅｎｔｉｆｉｃａｔｉｏｎ  Ｚｏｎｅ）領域に記録しておく。これにより、次回記録を行う際の記録条件の初期設定を迅速に行うことができる。
【００４３】
さらには、光ディスクにはディスク出荷時にディスク製造者の推奨する記録条件が登録されている。ローディング時に当該ディスクに登録されている記録条件を参照すれば、試し書きを全く行うことなく記録条件の初期設定を行うことも可能である。
【００４４】
上記実施例では光ディスクとしてＤＶＤ−ＲＡＭの場合を説明したが、対象とする光ディスクはこれに限らず、例えばＤＶＤ−ＲＷやＢｌｕ−ｒａｙディスクなど、高倍速記録の分野で有効に適用できる。
【図面の簡単な説明】
【００４５】
【図１】本発明による光ディスク装置の一実施例を示すブロック図。
【図２】図１の位相誤差検出部及び位相誤差調整部の動作を説明する図。
【図３】位相誤差の測定結果と、記録条件の調整の一例を示すテーブル。
【図４】従来の記録条件設定方法によりデータを記録する一例を示すフローチャート。
【図５】本発明の記録条件設定方法によりデータを記録する一実施例を示すフローチャート。
【符号の説明】
【００４６】
１…光ディスク、２…スピンドルモータ、３…ピックアップ、４…スレッドモータ、６…信号処理部、７…レーザドライバ、８…記録条件設定部、１０…位相誤差検出部、１１…位相誤差調整部、１２…記録条件保持メモリ、１３…ベリファイ測定部、１４…マイコン（制御部）、１０１，１０２…記録マーク。
【図１】
2007213674.tif 000003
【図２】
2007213674.tif 000004
【図３】
2007213674.tif 000005
【図４】
2007213674.tif 000006
【図５】
2007213674.tif 000007